(57)【特許請求の範囲】
【請求項１】
鉄骨梁などに固定されたリップ部を有する取付部材に外壁パネルを固定する固定金具であって、外壁パネルに配設可能なナット金具と、取付部材のリップ部に係合可能な係合金具と、から構成され、前記ナット金具は、雌ねじが形成された金具本体と、断面略Ｕ字状に形成されて金具本体を挟むように金具本体の一面に固定されたバネ材と、からなり、バネ材には、金具本体の雌ねじに対応する位置に雌ねじの内径よりも大きな内径の円筒状張出部が形成され、一方、係合金具は、一面側を外壁パネルに対する取付面とされた取付部および取付部の取付面と反対側に鋭角状に突出する鉤状部を有して断面略Ｐ字状に折曲され、取付部には長穴が形成され、また、鉤状部の、取付部の取付面からの内壁の高さが取付部材のリップ部の幅よりも小さく設定され、ナット金具と係合金具とは、係合金具の長穴を通して嵌挿されたボルトをナット金具の雌ねじに螺合させることにより一体に連結されるとともに、前記係合金具の取付部は、その端縁が取付面と反対側に一定勾配で傾斜する傾斜部に形成されているとともに、両隅角部が切り落とされて面取り部に形成されていることを特徴とする外壁パネルの固定金具。
【請求項２】
前記係合金具の取付部には、長穴を挟んで取付面と反対方向に突出する２本の凸条が形成されていることを特徴とする請求項１記載の外壁パネルの固定金具。
【発明の詳細な説明】
【０００１】
【発明の属する技術分野】
本発明は、鉄骨系住宅において、外壁パネルを鉄骨梁などに対して固定する固定金具に関するものである。
【０００２】
【従来の技術】
従来、裏面側の所定位置にナット金具が予め配設されるとともに、複数個の中空部が上下方向に貫通して形成された外壁パネルが知られている。このような外壁パネルを用いて鉄骨系住宅の外壁を形成する場合、基礎や鉄骨梁に固定された壁軸組に対して外壁パネルを固定するようにしている。具体的には、外壁パネルに埋設されたナット金具に取付金具をボルトを介して固定する一方、壁軸組に接合金具をボルトを介して固定し、外壁パネルに固定された取付金具を壁軸組に載置するとともに、壁軸組に固定された接合金具を外壁パネルのナット金具にボルトを介して固定することにより、外壁パネルを壁軸組に固定していた（例えば、特開平９−３２８８６４号公報参照）。
【０００３】
【発明が解決しようとする課題】
しかしながら、外壁パネルを固定するためには、壁軸組が必要になるとともに、一の外壁パネルに多数個のナット金具を埋設しなければならない他、一の外壁パネルにナット金具を利用して複数個の取付金具を固定する一方、一の壁軸組に複数個の接合金具を固定しなければならず、部品点数が増加してコストが上昇するとともに、作業に多くの時間が必要になり、作業性が低いという問題があった。
【０００４】
さらに、製造上の誤差により、壁軸組に固定した接合金具と、外壁パネルに埋設したナット金具との位置が適合しない場合、現場において調整しなければならず、その際、手直しにも多くの時間が必要になっていた。
【０００５】
本発明は、このような問題点に鑑みてなされたものであり、外壁パネルを壁軸組を用いることなく鉄骨梁などに簡単確実に固定することのできる外壁パネルの固定金具を提供するものである。
【０００６】
【課題を解決するための手段】
本発明は、鉄骨梁などに固定されたリップ部を有する取付部材に外壁パネルを固定する固定金具であって、外壁パネルに配設可能なナット金具と、取付部材のリップ部に係合可能な係合金具と、から構成され、前記ナット金具は、雌ねじが形成された金具本体と、断面略Ｕ字状に形成されて金具本体を挟むように金具本体の一面に固定されたバネ材と、からなり、バネ材には、金具本体の雌ねじに対応する位置に雌ねじの内径よりも大きな内径の円筒状張出部が形成され、一方、係合金具は、一面側を外壁パネルに対する取付面とされた取付部および取付部の取付面と反対側に鋭角状に突出する鉤状部を有して断面略Ｐ字状に折曲され、取付部には長穴が形成され、また、鉤状部の、取付部の取付面からの内壁の高さが取付部材のリップ部の幅よりも小さく設定され、ナット金具と係合金具とは、係合金具の長穴を通して嵌挿されたボルトをナット金具の雌ねじに螺合させることにより一体に連結されるとともに、前記係合金具の取付部は、その端縁が取付面と反対側に一定勾配で傾斜する傾斜部に形成されているとともに、両隅角部が切り落とされて面取り部に形成されていることを特徴とするものである。
【０００７】
本発明によれば、外壁パネルの下穴に連通する一の中空部の上下端部からナット金具を挿入すると、ナット金具におけるバネ材の円筒状張出部が下穴に嵌まり込み、その際、バネ材がその弾性により外壁パネルの中空部の内壁を押圧することから、金具本体の雌ねじを外壁パネルの下穴に臨ませたナット金具を外壁パネルの下穴からの抜け出しを防止して外壁パネルの所定位置に配設することができる。また、係合金具における取付部の長穴を通してボルトを挿入し、外壁パネルの下穴に配設されたナット金具の金具本体の雌ねじにねじ込むことにより、係合金具を外壁パネルに配設されたナット金具とボルトを介して一体に連結することができる。
【０００８】
したがって、ナット金具および係合金具からなる固定金具を用いることにより、下階の鉄骨梁や上階の鉄骨梁あるいは基礎などに固定された取付部材のチャンネル材のリップ部に、外壁パネルに固定された係合金具の鉤状部を係合させ、係合金具を外壁パネルに配設したナット金具にボルト締めすることで外壁パネルを下階の鉄骨梁と上階の鉄骨梁にわたって、あるいは基礎と上階の鉄骨梁にわたって簡単に固定することができる。この場合、係合金具の取付部に長穴が形成されていることにより、取付部材のチャンネル材のリップ部に対する鉤状部の係合位置を長穴に沿って調整することができる。また、鉤状部の、取付部の取付面からの内壁の高さが取付部材のリップ部の幅よりも小さく設定されていることにより、係合金具の鉤状部の内面が取付部材のチャンネル材のリップ部に確実に接触し、地震などによっても、外壁パネルが水平移動することがない他、係合金具が回転してチャンネル材から離脱することもなく、外壁パネルを確実に固定することができる。
【０００９】
本発明において、係合金具の取付部の端縁が取付面と反対側に一定勾配で傾斜する傾斜部に形成されているとともに、両隅角部が切り落とされて面取り部に形成されていると、係合金具の鉤状部を取付部材のチャンネル材のリップ部に係合した際、係合金具の取付部の傾斜部が外壁パネルの裏面に対し面接触することになり、外壁パネルを円滑に移動させることができる。また、地震などにより、外壁パネルが躯体の変形に追従して移動する際、外壁パネルの裏面に対し係合金具を円滑に移動させることができる。
【００１０】
本発明において、係合金具の取付部に長穴を挟んで取付面と反対方向に突出する２本の凸条が形成されていると、取付部の剛性が大きくなり、曲げ強度を高めることができる。
【００１１】
【発明の実施の形態】
以下、本発明の外壁パネルの固定金具の実施の形態について図面を参照しつつ説明する。
【００１２】
図１には、本発明の外壁パネルの固定金具の一実施形態が示されている。
この固定金具１は、鉄骨梁Ｈに固定されたリップ部５２ａを有する取付部材５に外壁パネル１０を取り付ける際に使用され、外壁パネル１０に固定可能なナット金具２と、取付部材５のリップ部５２ａに係合可能な係合金具３と、から構成されている。
【００１３】
ナット金具２は、図２に示すように、略方形の金具本体２１と、該金具本体２１に一体に固定されたバネ材２２と、からなり、金具本体２１には、略中央部に雌ねじ２１ａが形成されているとともに、上端部および下端部にそれぞれ切欠部２１ｂ，２１ｃが形成されている。また、バネ材２２は、断面略Ｕ字状に折曲され、前述の金具本体２１の雌ねじ２１ａに対応する位置に雌ねじ２１ａの内径よりも若干大きな内径の円筒状張出部２２ａが外方に突出して形成されるとともに、金具本体２１の切欠部２１ｂ，２１ｃに対応する位置に切り込みによる係止片２２ｂ，２２ｃが形成されている。
【００１４】
ナット金具２は、金具本体２１の表裏両面を挟み込むようにバネ材２２を配置した後、金具本体２１の一面にバネ材２２の内面を接触させ、金具本体２１の雌ねじ２１ａにバネ材２２の円筒状張出部２２ａを位置合わせした後、バネ材２２の係止片２２ｂ，２２ｃを金具本体２１の切欠部２１ｂ，２１ｃに沿わせて先端部を金具本体２１の他面側に折り曲げて一体化されている。
【００１５】
係合金具３は、図３に示すように、一面側を外壁パネル１０に対する取付面３１１とされた取付部３１および取付部３１の取付面３１１と反対側に断面Ｖ字状に突出する鉤状部３２を有して断面略Ｐ字状に折曲されてなり、取付部３１には長穴３１ａが形成され、また、鉤状部３２の、取付部３１の取付面３１１からの内壁の高さｘが後述する取付部材５のリップ部５２ａの幅ｗよりも小さく設定されている（図５参照）。さらに、係合金具３の取付部３１には、取付面３１１と反対側に突出する２本の凸条３１ｂが長穴３１ａを挟んで形成されている他、取付部３１はその端縁が取付面３１１と反対側に一定勾配で傾斜する傾斜部３１ｃに形成されているとともに、両隅角部が切り落とされて面取り部３１ｄに形成されている。
【００１６】
外壁パネル１０は、セメントの押出成形品であって、断面長穴状の複数個の中空部１０ａが上下方向に貫通して形成されているとともに、その裏面側四隅近傍に一の中空部１０ａに連通する下穴１０ｂが形成されている。そして、外壁パネル１０の各下穴１０ｂには前述したナット金具２が配設されている
すなわち、ナット金具２は、外壁パネル１０の、下穴１０ｂに連通する一の中空部１０ａの上下端部から、そのバネ材２２の湾曲部分を内方に向けて、かつ、バネ材２２の円筒状張出部２２ａを外壁パネル１０の裏面側に向けて挿入され、ナット金具２が下穴１０ｂに到達すると、バネ材２２の円筒状張出部２２ａが下穴１０ｂに嵌まり込む。この際、バネ材２２は、その弾性により中空部１１ａの内壁面を押圧し、ナット金具２が下穴１０ｂから抜け出すのを防止する。こうして、ナット金具２は、外壁パネル１０の所定位置に配設される。
【００１７】
外壁パネル１０にナット金具２が配設されると、各ナット金具２に係合金具３が固定される。すなわち、係合金具３を把持し、その取付部３１の取付面３１１を外壁パネル１０の裏面に接触させ、取付部３１の長穴３１ａを外壁パネル１０の下穴１０ｂに位置合わせした後、取付部３１の長穴３１ａを通してボルトＢを外壁パネル１０の下穴１０ｂに挿入し、外壁パネル１０の下穴１０ｂに配設されたナット金具２の金具本体２１の雌ねじ２１ａにねじ込むことにより、係合金具３は、外壁パネル１０に配設されたナット金具２とボルトＢを介して一体に連結される。
【００１８】
この場合、外壁パネル１０の上部左右に設けられる係合金具３は、その鉤状部３２が上方となるように配置され、外壁パネル１０の下部左右に設けられる係合金具３は、その鉤状部３２が下方となるように配置される。また、係合金具３は、ナット金具２から離脱しない程度に仮止めされる。
【００１９】
次に、このようなナット金具２および取付金具３からなる固定金具１を設けた外壁パネル１０を鉄骨梁Ｈに固定する作業要領を説明する。
【００２０】
まず、下階の鉄骨梁Ｈの上フランジｈ１および上階の鉄骨梁Ｈの下フランジｈ２にそれぞれ取付部材５を固定する。
【００２１】
ここで、下階の鉄骨梁Ｈとしては、例えば、２階の梁が、上階の鉄骨梁Ｈとしては、例えば、３階の梁がそれぞれ対応している。また、鉄骨梁Ｈは、断面Ｈ字状の形鋼が採用され、その上下のフランジｈ１，ｈ２には、その室内側および室外側において、それぞれ設定間隔をおいて複数個の下穴ｈａが予め形成されている（図７および図８参照）。
【００２２】
取付部材５は、１個のボルト用下穴（図示せず）がそれぞれ形成されるとともに、設定間隔をおいて配置された複数枚の取付板５１と、これらの取付板５１に溶着された断面略Ｌ字状のチャンネル材５２、例えば、リップ山形鋼と、からなり、チャンネル材５２の垂直片５２１の先端にはリップ部５２ａが形成されている。
【００２３】
なお、上階の鉄骨梁Ｈに固定される取付部材５においては、取付板５１の先端面と、チャンネル材５２の垂直片５２１の外面とがほぼ同一の垂直面上に位置するように、取付板５１にチャンネル材５２の水平片５２２が溶着されるのに対し、下階の鉄骨梁Ｈに固定される取付部材５においては、取付板５１の先端部に外壁パネル１０の下端を載置する一定長さをおいてチャンネル材５２の垂直片５２が位置するように、取付板５１にチャンネル材５２の水平片５２２が溶着される。
【００２４】
取付部材５を鉄骨梁Ｈに固定する場合、下階の鉄骨梁Ｈにおいては、その上フランジｈ１の上面に取付部材５の取付板５１を載置し、取付板５１のボルト用下穴および鉄骨梁Ｈの上フランジｈ１の下穴ｈａを通してボルトＢ１を挿通し、ナットＮ１を用いて固定する（図７参照）。この際、取付部材５のチャンネル材５２の垂直片５２１が水平片５２２よりも室外側に位置するように取り付ける。また、上階の鉄骨梁Ｈにおいては、その下フランジｈ２の下面に取付部材５の取付板５１を配置し、その取付板５１のボルト用下穴および鉄骨梁Ｈの下フランジｈ２の下穴ｈａを通してボルトＢ１を挿通し、ナットＮ１を用いて固定する（図８参照）。この際、取付部材５のチャンネル材５２の垂直片５２１が水平片５２２よりも室外側に位置するように取り付ける。
【００２５】
次いで、クレーンなどを利用して固定金具１を設けた外壁パネル１０を吊り上げ、その下端を下階の鉄骨梁Ｈに固定された取付部材５の取付板５１の先端部に載置して外壁パネル１０を支持するとともに、その裏面を上下の取付部材５のチャンネル材５２の垂直片５２１の外面にそれぞれ当接させた後、係合金具３の鉤状部３２を上下の取付部材５のチャンネル材５２のリップ部５２ａにそれぞれ係合させ、ボルトＢを締め付けて係合金具３を外壁パネル１０に配設されたナット金具２に締結する。
【００２６】
ここで、係合金具３は、取付部３１に形成された長穴３１ａの範囲内で移動させることができ、取付部材５のチャンネル材５２のリップ部５２ａに対する鉤状部３２の係合位置を調整することができる。この際、係合部材３の取付部３１の端縁には、傾斜部３１ｃが形成されるとともに、面取り部３１ｄが形成されているため、外壁パネル１０の裏面に対する係合部材３の係合時の移動を円滑に行うことができる。また、係合部材３における鉤状部３２の内壁の高さｘが取付部材５のリップ部５２ａの幅ｗよりも小さく設定されているため、係合金具３の鉤状部３２の内面は、取付部材５のチャンネル材５２のリップ部５２ａに確実に接触して係合することになる。
【００２７】
この結果、下階の鉄骨梁Ｈに固定された取付部材５のチャンネル材５２のリップ部５２ａおよび上階の鉄骨梁Ｈに固定された取付部材５のチャンネル材５２のリップ部５２ａに係合金具３の鉤状部３２を係合させてボルトＢを締め付けるだけの簡単な作業により、外壁パネル１０を固定することができる。したがって、部品点数が削減されるとともに、外壁パネルの固定作業を少ない作業時間によって行うことができ、コストを削減することができる。また、係合金具３の鉤状部３２が取付部材５のリップ部５２ａにそれぞれ係合していることにより、地震などによっても、外壁パネル１０が水平移動することがない他、係合金具３が回転して取付部材５から離脱することもないことから、外壁パネル１０を確実に固定することができる。
【００２８】
なお、前述した実施形態においては、下階の鉄骨梁Ｈおよび上階の鉄骨梁Ｈにそれぞれ取付部材５を固定し、これらの鉄骨梁Ｈに固定した取付部材５にわたって外壁パネル１０を固定金具１によって固定した場合を例示したが、基礎などに取付部材５を固定し、基礎と上階の鉄骨梁Ｈにわたって外壁パネル１０を固定することもできる。
【００２９】
【発明の効果】
以上のように本発明によれば、ナット金具および係合金具からなる固定金具によって外壁パネルを下階の鉄骨梁と上階の鉄骨梁との間あるいは基礎と上階の鉄骨梁との間に壁軸組を用いることなく簡単確実に固定することができる。
【図面の簡単な説明】
【図１】本発明の外壁パネルの固定金具を示す斜視図である。
【図２】固定金具を構成するナット金具の分解斜視図である。
【図３】固定金具を構成する係合金具の斜視図である。
【図４】外壁パネルに配設されるナット金具と係合金具との関係を示す分解斜視図である。
【図５】係合金具の鉤状部と取付部材のリップ部との寸法関係を示す側面図である。
【図６】本発明の外壁パネルの固定金具によって下階の鉄骨梁と上階の鉄骨梁にわたって外壁パネルを固定した状態を一部省略して示す縦断面図である。
【図７】外壁パネルに設けた係合金具と下階の鉄骨梁に設けた取付部材との関係を示す斜視図である。
【図８】外壁パネルに設けた係合金具と上階の鉄骨梁に設けた取付部材との関係を示す斜視図である。
【符号の説明】
１  固定金具
２  ナット金具
２１  金具本体
２１ａ  雌ねじ
２２  バネ材
２２ａ  円筒状張出部
３  係合金具
３１  取付部
３１１  取付面
３１ａ  長穴
３１ｂ  凸条
３１ｃ  傾斜部
３１ｄ  面取り部
３２  鉤状部
５  取付部材
５１  取付板
５２  チャンネル材
５２ａ  リップ部
１０  外壁パネル
１０ａ  中空部
１０ｂ  下穴
Ｈ  鉄骨梁
Ｂ  ボルト
【図１】
0003839198.tif 000002
【図２】
0003839198.tif 000003
【図３】
0003839198.tif 000004
【図４】
0003839198.tif 000005
【図５】
0003839198.tif 000006
【図６】
0003839198.tif 000007
【図７】
0003839198.tif 000008
【図８】
0003839198.tif 000009